【事件の表示】
　特願２００８−１１１４１４「タッチパネル付き表示装置」拒絶査定不服審判事件〔平成２１年１１月１２日出願公開、特開２００９−２６５７４８〕について、次のとおり審決する。
【結　論】
　本件審判の請求は、成り立たない。
【理　由】
１．手続の経緯・本願発明 
　
　本件は、平成２０年４月２２日の出願であって、平成２４年２月２３日付けで拒絶理由が通知され、同年４月２７日付けで手続補正がなされたが、同年８月３０日付けで拒絶査定がなされ、これに対して、同年１１月２９日に拒絶査定不服の審判が請求されたものである。
　
　そして、本願の特許請求の範囲の請求項１に係る発明（以下、「本願発明」という。）は、平成２４年４月２７日付け手続補正書の特許請求の範囲に記載された次のとおりのものと認める。
　
　「【請求項１】
　表示パネルと、
　前記表示パネルの観察者側の面上に配置される静電容量結合方式のタッチパネルとを備え、
　前記タッチパネルは、基板上に、第１の方向に延在し、前記第１の方向と交差する第２の方向に併設される複数の第１の電極と、
　前記第１の電極と交差して前記第２の方向に延在し、前記第１の方向に併設される複数の第２の電極とを有し、
　前記複数の第１の電極の各々は、前記第２の電極とは異なる層に形成され、前記第２の電極と交差する第１の部分と、
　前記第２の電極と同層に前記第２の電極とは分離して形成される第２の部分とを有し、
　前記第１の部分は、前記第１の部分と前記第２の電極との間の絶縁膜に形成されたコンタクトホールを介して前記第２の部分に接続され、
　前記基板上に前記第１及び第２の電極を覆うようにして保護膜が形成され、
　前記絶縁膜と保護膜とはネガ型レジストからなり、
　前記保護膜は前記第１の部分を覆うように前記コンタクトホール内にも形成されていることを特徴とするタッチパネル付き表示装置。」
　
２．引用例等
　
　原査定の拒絶理由で引用された本願の出願前に頒布された、特開昭５８−１６６４３７号公報（以下、「引用例１」という。）には、図面とともに以下の事項が記載されている。
　
ａ）「本発明は指タッチ式座標検出パネルの製造方法の改良に関するものである。
（ｂ）　技術の背景
　最近多項目情報を入力する装置として
ブラウン管の表示面の前面に透明な座標板を設置し、前記表示面に表示された情報に対応する位置情報を前記座標板を介して、前記表示面に表示された情報を確認しながら入力する指タッチ式座標検出パネル
　
ｂ）「そしてこのような座標検出パネルをある一定の周波数で動作させ、この
検出電極を指で接触したり、あるいは非接触の状態にすると人体の有する対地容量で検出電極の出力電圧が変動し、この出力電圧の変動を検知して座標位置を検知する
　
ｃ）「まず前述した第２図および第３図，第４図に示すように、
透明ガラス基板１上にＩＴＯ層を蒸着しその後ホトリソグラフイ法を用いてＸ電極２及びそれに連なる検出電極４、およびＹ電極３およびそれに連なる検出電極５を所定のパターンに形成
この場合、Ｙ電極３はＸ電極２とクロスする部分をあらかじめ切断した状態で形成
　
次いで、該基板上全面にホトレジスト膜を塗布した後、該ホトレジストを所定のパターンにホトリソグラフイ法を用いて窓開き
この窓開きする位置は、前述したＹ電極３上の適当な位置上に定める
１１はこのようにして形成された開孔部で１２はこのようにして形成された開孔部を有するホトレジスト膜
　
その後該ホトレジスト膜１２上に金または銀粉を有機溶剤に溶かした導電性ペーストをマスクを用いて印刷して、前記開孔部１１を介して下のＹ電極３に接続するような導電体膜１３を形成
　
ｄ）「また
ホトレジスト膜がＸ電極やそれに連なる検出電極、更にＹ電極やそれに連なる検出電極上を被覆するようになり、表面保護膜の働きをする
　
　してみると、引用例１には以下の発明（以下「引用例１記載の発明」という。）が記載されている。
　「ブラウン管の表示面の前面に透明な座標板を設置し、前記表示面に表示された情報に対応する位置情報を前記座標板を介して、前記表示面に表示された情報を確認しながら入力するものであり、
　検出電極を指で接触したり、あるいは非接触の状態にすると人体の有する対地容量で検出電極の出力電圧が変動し、この出力電圧の変動を検知して座標位置を検知するものである、
　指タッチ式座標検出パネルが設置されたブラウン管であり、
　透明ガラス基板１上にＩＴＯ層を蒸着しその後ホトリソグラフイ法を用いてＸ電極２及びそれに連なる検出電極４、およびＹ電極３およびそれに連なる検出電極５を所定のパターンに形成し、この場合、Ｙ電極３はＸ電極２とクロスする部分をあらかじめ切断した状態で形成し、
　次いで、該基板上全面にホトレジスト膜を塗布した後、該ホトレジストを所定のパターンにホトリソグラフイ法を用いて窓開きし、この窓開きする位置は、前述したＹ電極３上の適当な位置上に定め、このようにして形成された開孔部１１を有するホトレジスト膜１２を形成し、
　その後該ホトレジスト膜１２上に金または銀粉を有機溶剤に溶かした導電性ペーストをマスクを用いて印刷して、前記開孔部１１を介して下のＹ電極３に接続するような導電体膜１３を形成し、
　ホトレジスト膜がＸ電極やそれに連なる検出電極、更にＹ電極やそれに連なる検出電極上を被覆するようになり、表面保護膜の働きをする、
指タッチ式座標検出パネルが設置されたブラウン管。」
　
　本願の出願前に頒布された、前田和夫，最新ＬＳＩプロセス技術，３版，日本，株式会社工業調査会，１９８５年５月２５日，ｐ．２５４−２５５（以下、「周知例１」という。）には、図面とともに以下の事項が記載されている。 
　
ｅ）「６．ホトレジスト
　
ホトレジストにはよく知られているようにネガ型とポジ型がある。
　ネガ型ホトレジストは一般に環化ゴム系の樹脂とビスジアジド系化合物との混合物を有機溶剤中に含んだもので，後者には感光性があり，架橋剤として作用する。
ネガレジストでは光照射部分が架橋剤により網目構造になって硬化し，未照射部分との間に現像液に対する溶解度の差を生ずる点を利用してパターンが形成される。
　ポジ型のホトレジストでは，光照射部分は現像液（アルカリ系）に可溶となり，未露光部が不溶性であるためにネガ型同様溶解度の差を用いてパターン形成される。ポジ型ホトレジストは一般にキノンジアジド系の感光剤とアルカリ可溶のフェノール系樹脂と有機溶剤とからなっている。したがって混合物そのものはアルカリには不溶であるが光照射により図２．８．３（ｂ）のようにアルカリ可溶となる。」（２５４頁第９〜２３行の記載。）
　
　原査定で提示した本願の出願前に頒布された、特開昭６０−９０２１号公報（以下、「周知例２」という。）には、図面とともに以下の事項が記載されている。
　
ｆ）「第２図（ａ），（ｂ）に本発明の実施例を示す。
　（ａ）はタッチキー及びＬＣＤの一体型構造の実施例を示す。
　図に於て、２１はＬＣＤ、２２はタッチキー用透明電極（Ｘ方向入力）、２３は絶縁性保護膜（透明）、２４はタッチキー用透明電極（Ｙ方向入力）、２５は偏光フィルター、２６はＬＣＤ用透明電極（Ｙ方向出力）、２７はガラス、２８は絶縁体、２９は液晶、３０はＬＣＤ用透明電極（Ｘ方向出力）、３１は反射板である。」（第２頁左上欄第３〜１２行の記載。）
　
ｇ）第２図（ａ）には、最外面であるタッチキー用透明電極２２の上に絶縁性保護膜２３を設けた構造が示されている。
　
　本願の出願前に頒布された、特開平３−２９４９１８号公報（以下、「周知例３」という。）には、図面とともに以下の事項が記載されている。
　
ｈ）「第１図は本発明の一実施例の構成を示す断面図であり、これは単純マトリックス型液晶ディスプレイの駆動を利用しタブレット機能を有する。
　第１図（ａ）は、上部透明ガラスまたはフィルム基板４の上には液晶駆動を行うライン走査用の液晶Ｙ走査電極８（第２の走査線）に直交して第３の走査線を形成するタブレットＸ座標検出用走査電極９を設け、その上に透明保護膜１１を覆った構成である。」（第３頁左上欄第１１〜１９行の記載。）
　
ｉ）「また、タブレットＸ座標検出用走査電極９は表面に配線されるため、入力ペン３などで入力した時にキズが生じる。これを防ぐため透明保護膜１１をタブレットＸ座標検出用走査電極９に覆うようにし平面上に平滑化させるように形成する。」（第３頁左下欄第１０〜１４行の記載。）
　
ｊ）第１図（ａ）には、最外面であるタブレットＸ座標検出用走査電極９の上に透明保護膜１１を設けた構造が示されている。
　
　本願の出願前に頒布された、特開２００７−２８０１０１号公報（以下、「周知例４」という。）には、図面とともに以下の事項が記載されている。
　
ｋ）「【００４１】
  タッチパネル装置１は、静電容量方式のタッチパネル装置であって、図３に拡大して示すように、基板であるガラス基板１６と、ガラス基板１６の表面に形成された透明導電膜１７と、透明導電膜１７を覆う保護膜である透明な絶縁膜１８とを備えている。すなわち、液晶表示素子１０は、タッチパネル装置１のガラス基板１６側に配置されている。」（【００４１】の記載。）
　
ｌ）図３には、最外面である透明導電膜１７の上に保護膜である透明な絶縁膜１８を設けた構造が示されている。
　
　本願の出願前に頒布された、特開昭５８−１６６４３１号公報（以下、「周知例５」という。）には、図面とともに以下の事項が記載されている。
　
ｍ）「本発明は指タッチ式座標検出パネルに関するものである。」（第１頁左下欄第１３〜１４行の記載。）
　
ｎ）「このような透明電極、Ｙ電極、Ｘ電極が形成されている基板上にアルミナ（Ａｌ２Ｏ３）の保護膜を蒸着により形成し、電極表面を保護するようになっている。」（第２頁左上欄第３〜７行の記載。）
　
　原査定で提示した本願の出願前に頒布された、特開２０００−４７６０２号公報（以下、「周知例６」という。）には、図面とともに以下の事項が記載されている。
　
ｏ）「【００７５】次に、図９（Ａ）に示すように、ゲート電極３ａおよび第１導電膜３ｃの表面側に、ＣＶＤ法などによりたとえば８００℃程度の温度条件下で厚さが約５００ｎｍ〜約１５００ｎｍのＮＳＧ膜（ボロンやリンを含まないシリケートガラス膜）などからなる第１層間絶縁膜４を形成した後、図９（Ｂ）に示すように、画素ＴＦＴ部においては、
フォトリソグラフィ技術を用いて、第１層間絶縁膜４のうち、
第１導電膜３ｃに対応する部分に複数のコンタクトホール５ｂを形成する
【００７６】次に、図９（Ｃ）に示すように、
第１層間絶縁膜４の表面側に、
アルミニウム膜６などの低抵抗導電膜をスパッタ法などで形成した後、
フォトリソグラフィ技術を用いて、
第２導電膜６ｂを形成する
【００７７】次に、図１０（Ａ）に示すように、ソース電極６ａおよび
第２導電膜６ｂの表面側に、
第２層間絶縁膜７を形成
　
ｐ）図９に、第１層間絶縁膜４に形成されたコンタクトホール５ｂに対応する位置に凹みを有するように第２導電膜６ｂを形成した構造が、図１０に、前記第２導電膜６ｂの表面側に、前記凹みを埋めるように第２層間絶縁膜７を形成した構造が示されている。
　
　本願の出願前に頒布された、特開２０００−２９４８９０号公報（以下、「周知例７」という。）には、図面とともに以下の事項が記載されている。
　
ｑ）「【００３２】上記「プリント配線板」、「基板」、「スルーホール」、「周縁導体層」、「スルーホール充填用ペースト」の各々は前記、第１乃至第４発明におけると同様である。通常、このようなプリント配線板は図２に示すような構造を有する。即ち、基板１に設けられたスルーホールの周縁及び内壁面には
周縁導体層３１
周縁導体層表面は、更に層間絶縁層４により積層される。この層間絶縁層の表面には、更に導体層３３が形成される。この導体層３３の表面には、更にソルダーレジスト層５が形成される
ソルダーレジスト層は最外層にのみ形成される。
　
ｒ）図２には、周縁導体層３１の導体上に層間絶縁層４を介して導体層３３を形成し、前記周縁導体層３１の導体と前記導体層３３とは層間絶縁層４の穴部に形成された凹みを有する導体により接続され、前記導体層３３の表面には前記凹みを埋めるようにソルダーレジスト層５が形成された構造が示されている。
　
　本願の出願前に頒布された、特開２００１−７４６８号公報（以下、「周知例８」という。）には、図面とともに以下の事項が記載されている。
　
ｓ）「そして、
絶縁層１の
表裏両面１ａ，１ｂに、
配線層３，４が形成されている。
貫通孔２の内面２ａに、
導電層５が形成されている。
配線層３，４と導電層５とは一体に形成されかつ貫通孔２の小径部を閉じるように形成されている。
絶縁層１の表面側（図１の上側）の配線層３および導電層５は一部を残してレジスト膜６によって被覆され
　
ｔ）図１には、絶縁層１の表裏両面１ａ，１ｂにそれぞれ配線層３，４が形成され、前記絶縁層１に形成された貫通孔２に凹みを有する導体層５が形成され、前記配線層３，４と前記導体層５とは一体に形成され、前記絶縁層１の表面側の前記配線層３および前記導体層５は凹みを埋めるようにレジスト膜６によって被覆された構造が示されている。
　
３．対比
　
　本願発明と引用例１記載の発明とを対比する。 
　
（１）引用例１記載の発明の「ブラウン管」は、本願発明の「表示パネル」と、表示用デバイスである点で一致しているといえる。
　
（２）引用例１記載の発明の「指タッチ式座標検出パネル」は、「ブラウン管の表示面の前面に」設置された「透明な座標板」であり、「検出電極を指で接触したり、あるいは非接触の状態にすると人体の有する対地容量で検出電極の出力電圧が変動し、この出力電圧の変動を検知して座標位置を検知するものである」から、本願発明の「表示パネルの観察者側の面上に配置される静電容量結合方式のタッチパネル」と、表示用デバイスの「観察者側の面上に配置される静電容量結合方式のタッチパネル」である点で一致しているといえる。
　
（３）引用例１記載の発明の「Ｙ電極３およびそれに連なる検出電極５」は、「透明ガラス基板１上にＩＴＯ層を蒸着しその後ホトリソグラフイ法を用いて」「所定のパターンに形成」されたものであり、従来技術に係る引用例１の第１図と、上記（２）に記載した「検出電極」の機能を考慮すれば、「Ｙ電極」の延在する方向と交差する方向に併設される複数の「Ｙ電極及びそれに連なる検出電極」を有するのは明らかであり、また、引用例１記載の発明の「Ｙ電極３」は、「Ｙ電極３はＸ電極２とクロスする部分をあらかじめ切断した状態で形成」されたものであるから、引用例１記載の発明の「Ｙ電極３およびそれに連なる検出電極５」は、本願発明の「基板上に、第１の方向に延在し、前記第１の方向と交差する第２の方向に併設される複数の第１の電極」の各々が有する「第２の電極と同層に前記第２の電極とは分離して形成される第２の部分」に相当する。
　
（４）引用例１記載の発明の「Ｘ電極２及びそれに連なる検出電極４」は、「透明ガラス基板１上にＩＴＯ層を蒸着しその後ホトリソグラフイ法を用いて」「所定のパターンに形成」されたものであり、従来技術に係る引用例１の第１図と、上記（２）に記載した「検出電極」の機能及び「Ｙ電極３はＸ電極２とクロス」することを考慮すれば、「Ｘ電極」は「Ｙ電極」と交差して延在し、該延在する方向と交差する方向に併設される複数の「Ｘ電極及びそれに連なる検出電極」を有するのは明らかであるから、引用例１記載の発明の「Ｘ電極２及びそれに連なる検出電極４」は、本願発明の「第１の電極と交差して前記第２の方向に延在し、前記第１の方向に併設される複数の第２の電極」に相当する。
　
（５）引用例１記載の発明の「導電体膜１３」は、「ホトレジストを所定のパターンにホトリソグラフイ法を用いて窓開きし、この窓開きする位置は、前述したＹ電極３上の適当な位置上に定め、このようにして形成された開孔部１１を有するホトレジスト膜１２を形成し」、「前記開孔部１１を介して下のＹ電極３に接続するような導電体膜１３を形成」したものであるから、引用例１記載の発明の「導電体膜１３」は、本願発明の「複数の第１の電極の各々」が有する「前記第２の電極とは異なる層に形成され、前記第２の電極と交差する第１の部分」に、引用例１記載の発明の「ホトレジスト膜１２」は、本願発明の「前記第１の部分と前記第２の電極との間の絶縁膜」に、また、引用例１記載の発明の「開孔部１１」は、本願発明の「絶縁膜に形成されたコンタクトホール」にそれぞれ相当し、引用例１記載の発明の「導電体膜１３」が「ホトレジスト膜１２」に形成された「開孔部１１を介して下のＹ電極３に接続する」ことは、本願発明の「前記第１の部分は、前記第１の部分と前記第２の電極との間の絶縁膜に形成されたコンタクトホールを介して前記第２の部分に接続され」ることに相当する。
　
（６）引用例１記載の発明の「ホトレジスト膜１２」は、本願発明の「絶縁膜」「はネガ型レジストからな」ることと、「絶縁層」「はレジストからなる」点で一致しているといえる。
　
（７）引用例１記載の発明の「指タッチ式座標検出パネルが設置されたブラウン管」は、本願発明の「タッチパネル付き表示装置」に相当する。
　
　したがって、両者は以下の一致点と相違点とを有する。 
　
＜一致点＞
　
　「表示用デバイスと、
　前記表示用デバイスの観察者側の面上に配置される静電容量結合方式のタッチパネルとを備え、
　前記タッチパネルは、基板上に、第１の方向に延在し、前記第１の方向と交差する第２の方向に併設される複数の第１の電極と、
　前記第１の電極と交差して前記第２の方向に延在し、前記第１の方向に併設される複数の第２の電極とを有し、
　前記複数の第１の電極の各々は、前記第２の電極とは異なる層に形成され、前記第２の電極と交差する第１の部分と、
　前記第２の電極と同層に前記第２の電極とは分離して形成される第２の部分とを有し、
　前記第１の部分は、前記第１の部分と前記第２の電極との間の絶縁膜に形成されたコンタクトホールを介して前記第２の部分に接続され、
　前記絶縁膜はレジストからなることを特徴とするタッチパネル付き表示装置。」
　
＜相違点１＞
　
　本願発明は表示用デバイスが「表示パネル」であるのに対し、引用例１記載の発明は表示用デバイスが「ブラウン管」である点。
　
＜相違点２＞
　
　本願発明の「絶縁膜」は「ネガ型レジスト」からなるのに対し、引用例１記載の発明の「絶縁膜」は「ネガ型レジスト」からなるものとは限らない（引用例１には、「ホトレジスト膜」と記載されるのみであり「ネガ型」と記載されていない。）点。
　
＜相違点３＞
　
　本願発明においては「前記基板上に前記第１及び第２の電極を覆うようにして保護膜が形成され」、「保護膜」は「ネガ型レジスト」からなり、「前記保護膜は前記第１の部分を覆うように前記コンタクトホール内にも形成されている」のに対し、引用例１記載の発明においては保護膜が形成されていない点。
　
４．当審の判断
　
＜相違点１についての判断＞
　
　本願の明細書【０００８】に「本実施例１のタッチパネル付き表示装置は、図５に示すように、液晶表示パネル３０と、・・・を備えている。」と、【００１４】に「実施例では表示パネルの一例として液晶表示パネル上にタッチパネルを備えたタッチパネル付き表示装置について説明したが、本発明はこれに限定されるものではなく、有機ＥＬ表示パネルや無機ＥＬ表示パネル等の他の表示パネル上にタッチパネルを備えたタッチパネル付き表示装置に適用することができる。」と記載されていることを考慮すれば、本願発明の「表示パネル」は液晶表示パネルを含むものと認められる。
　そして、液晶表示パネルは表示用デバイスとして、例示するまでもなく極めて周知のものであり、また、引用例１記載の発明において、表示用デバイスとして液晶表示パネルを用いることを妨げる事情はないから、引用例１記載の発明のブラウン管に代え表示用デバイスを液晶表示パネルとすることは、当業者が適宜なし得る設計事項にすぎない。
　
＜相違点２についての判断＞
　
　周知例１に記載されるように、ホトレジストにネガ型とポジ型があるのは周知のことであり、一般に「ホトレジスト膜」を使用する場合に、それをネガ型とするかポジ型とするかは、レジストの特性や用途等を考慮して当業者が適宜選択すべき事項である。
　そして、周知例１に記載されるように、ネガレジストは、「光照射部分が架橋剤により網目構造になって硬化」し、ポジ型のホトレジストは、「光照射部分は現像液（アルカリ系）に可溶となり，未露光部が不溶性」であることと、引用例１記載の発明の「ホトレジスト膜」は「タッチ式座標検出パネル」を構成するものであり、該パネルは通常光が照射される環境で使用されることを合わせて考慮すれば、「タッチ式座標検出パネル」の使用中に「ホトレジスト膜」が可溶となることを防ぐために、引用例１記載の発明の「ホトレジスト膜」を「ネガ型レジスト」とすべきことは当業者に明らかである。
　してみれば、引用例１記載の発明の「ホトレジスト膜」を「ネガ型レジスト」からなるものとすることは、当業者が容易に想到し得たことである。
　
＜相違点３についての判断＞
　
　タッチパネルの電極全面を覆うように絶縁性の保護膜を設けることは、周知例２〜５に記載されるように周知技術であり、また、一般的に、基板等の表面に配線を形成する場合、コンタクトホール部に形成された導体を凹みを有する形状とすること、該導体および該導体に接続する導電膜に対して、前記凹みを埋めると共に前記導体および前記導電膜を覆う絶縁膜を設ける構成も、周知例６〜８に記載されるように周知である。
　そして、引用例１記載の発明に上記周知技術や上記周知の構成を採用できない理由はない。
　したがって、引用例１記載の発明に上記周知技術及び周知の構成を採用して、導電体膜１３をコンタクトホールに対応する位置に凹みを有する形状とし、該凹みを埋めると共にパネルの電極全面を覆うように保護膜を設けることは、当業者が容易になし得たことである。
　また、引用例１記載の発明は、「ホトレジスト膜がＸ電極やそれに連なる検出電極、更にＹ電極やそれに連なる検出電極上を被覆するようになり、表面保護膜の働きをする」ものであるから、「ホトレジスト膜」の材料が保護膜として用い得ることは明らかであり、上記パネルの電極全面を覆うよう保護膜を設けるにあたり、保護膜に「ホトレジスト膜」と同一の「ネガ型レジスト」を用いることは、当業者が適宜なし得る設計事項である。
　
　なお、金または銀粉を有機溶剤に溶かした導電性ペーストをマスクを用いて印刷して導電体膜が形成される場合であっても、物理的な損傷等に対する保護が必要な場合は当然に想定されるから、「導電体膜１３に保護膜を設ける必要が無いと考えることが自然である」とはいえない。
　
　よって、本願発明は、引用例１記載の発明及び上記各周知技術に基づいて当業者が容易に為し得たものである。
　
　そして、本願発明が奏する作用、効果についてみても、引用例１記載の発明及び上記各周知技術から当業者が予想できる程度のものである。
　
５．むすび
　
　以上のとおり、平成２４年４月２７日付け手続補正書の特許請求の範囲の請求項１に記載された発明は、引用例１に記載された発明及び上記各周知技術に基づいて、当業者が容易に発明をすることができたものであるから、特許法第２９条第２項の規定により特許を受けることができない。
　したがって、本願は、他の請求項について検討するまでもなく、拒絶されるべきものである。
　
　よって、結論のとおり審決する。